(57)【要約】【課題】電気掃除機において、集塵室内のフィルターに付着した塵埃を、自動的に除去して、吸引力が落ちない電気掃除機を提供できるようにすること。【解決手段】集塵室１０と電動送風機の間に配置された集塵室フィルター（フィルター）２１の下部に設けた連結孔（フィルター近傍通路）１１を通じて集塵室１０と接続される減圧室１２が配置され、連結孔１１の途中には連結孔１１を開閉する遮断弁（フィルター近傍通路遮断弁）１４が配置され、さらに減圧室１２には減圧室１２の気圧を減圧させるポンプ１５を接続したもので、掃除中、連結孔１１を遮断弁１４により閉めた後、ポンプ１５で減圧室１２内の空気を抜き、掃除機停止後に遮断弁１４を開くことにより、集塵室フィルター２１近傍に吸引風を発生させて、集塵室フィルター２１に付着した塵埃を自動的に除去でき、吸引力が落ちない電気掃除機を提供できるようになる。【選択図】図４
2011019602.tif 000002
【特許請求の範囲】
【請求項１】
塵埃を吸引する風を発生させる電動送風機と、床面から吸引した塵埃の通路となる吸引具と、前記吸引具に連結され塵埃を蓄積する集塵室と、前記集塵室と電動送風機間に配置されたフィルターと、前記集塵室に連結される減圧室と、前記減圧室内の気圧を測定する気圧計と、前記減圧室の空気を吸引するポンプと、前記フィルター下部に配置されて前記集塵室と減圧室とを連結するフィルター近傍通路と、前記フィルター近傍通路を開閉するフィルター近傍通路遮断弁と、前記フィルター近傍通路遮断弁を制御するフィルター近傍通路遮断弁制御部とを備え、掃除中にフィルター近傍通路遮断弁を閉じると共にポンプを動作させておき、掃除終了後にフィルター近傍通路遮断弁を開くことを特徴とする電気掃除機。
【請求項２】
フィルターと電動送風機との間に開閉可能な外気吸引弁を配置し、フィルター近傍通路遮断弁を開くと同時に、外気吸引弁も開くことを特徴とする請求項１記載の電気掃除機。
【請求項３】
吸引具から集塵室への入り口に、吸引する塵埃を検出するための塵埃検出手段を設け、前記塵埃検出手段近傍に、前記集塵室と減圧室とを連結する塵埃検出手段近傍通路を設けることを特徴とする請求項１または２記載の電気掃除機。
【請求項４】
時間測定機能と風量検知機能と前記風量検知機能からの信号により、一定時間内に一定値以上の風量低下が発生したことを判断する風量低下判断閾値を有し、前記風量検知機能の時間当たりの検知風量の低下が、前記風量低下判断閾値以下になったときに、フィルター近傍通路遮断弁を開く請求項１〜３のいずれか１項に記載の電気掃除機。
【発明の詳細な説明】
【技術分野】
【０００１】
本発明は一般家庭で使用する電気掃除機に関するものである。
【背景技術】
【０００２】
従来の電気掃除機は集塵室の構造の工夫により、集塵室と電動送風機との間にあるフィルターへの塵埃の付着を抑え、フィルターの目詰まりによる掃除機の吸引力の低下を抑えるものだった（例えば、特許文献１参照）。
【先行技術文献】
【特許文献】
【０００３】
【特許文献１】特開２００９−０６１３１２号公報
【発明の概要】
【発明が解決しようとする課題】
【０００４】
しかしながら上記構成では、いくらフィルターにつく塵埃の量を抑えても、いずれは人の手で掃除を行う必要があり、使用者に煩わしさを感じさせる問題があった。
【０００５】
本発明は、前記従来の課題を解決するもので、使用者に手間を強いることなく、自動的にフィルター掃除を行う電気掃除機を提供することを目的とする。
【課題を解決するための手段】
【０００６】
前記従来の課題を解決するために、本発明の電気掃除機は、塵埃を吸引する風を発生させる電動送風機と、床面から吸引した塵埃の通路となる吸引具と、前記吸引具に連結され塵埃を蓄積する集塵室と、前記集塵室と電動送風機間に配置されたフィルターと、前記集塵室に連結される減圧室と、前記減圧室内の気圧を測定する気圧計と、前記減圧室の空気を吸引するポンプと、前記フィルター下部に配置され前記集塵室と減圧室とを連結するフィルター近傍通路と、前記フィルター近傍通路を開閉するフィルター近傍通路遮断弁と、前記フィルター近傍通路遮断弁を制御するフィルター近傍通路遮断弁制御部とを備え、掃除中にフィルター近傍通路遮断弁を閉じると共にポンプを動作させておき、掃除終了後にフィルター近傍通路遮断弁を開くことを特徴とするものである。
【０００７】
これによって、電気掃除機は使用者の手間を強いることなく、掃除終了後に、フィルターの掃除を自動で行うことが出来るため、吸引力の低下しない優れた電気掃除機を提供することが可能となる。
【発明の効果】
【０００８】
本発明の電気掃除機は、フィルター下部から急激な吸引風を発生させることでフィルターに付着した塵埃を除去し、フィルターの目詰まりがなく吸引力が落ちない電気掃除機を使用者に提供するものである。
【図面の簡単な説明】
【０００９】
【図１】本発明の実施の形態１における電気掃除機の外観図
【図２】同、電気掃除機の本体内部断面図
【図３】同、電気掃除機の集塵室、減圧室近傍の第１の内部断面図
【図４】同、電気掃除機の集塵室、減圧室近傍の第２の内部断面図
【図５】同、電気掃除機の集塵室、減圧室近傍の第３の内部断面図
【図６】同、電気掃除機の集塵室、減圧室近傍の第４の内部断面図
【発明を実施するための形態】
【００１０】
第１の発明は、塵埃を吸引する風を発生させる電動送風機と、床面から吸引した塵埃の通路となる吸引具と、前記吸引具に連結され塵埃を蓄積する集塵室と、前記集塵室と電動送風機間に配置されたフィルターと、前記集塵室に連結される減圧室と、前記減圧室内の気圧を測定する気圧計と、前記減圧室の空気を吸引するポンプと、前記フィルター下部に配置され前記集塵室と減圧室とを連結するフィルター近傍通路と、前記フィルター近傍通路を開閉するフィルター近傍通路遮断弁と、前記フィルター近傍通路遮断弁を制御するフィルター近傍通路遮断弁制御部とを備え、掃除中にフィルター近傍通路遮断弁を閉じると共にポンプを動作させておき、掃除終了後にフィルター近傍通路遮断弁を開くことで、フィルター近傍の空気を急激に減圧室に吸引でき、フィルターに付着した塵埃を除去し、フィルターの目詰まりを解消するもので、フィルターの目詰まりが起きないことによって、吸引力の低下しない使い勝手のいい電気掃除機を提供できるものである。
【００１１】
第２の発明は、第１の発明に加えて、フィルターと電動送風機との間に開閉可能な外気吸引弁を配置し、フィルター近傍通路遮断弁を開くと同時に、外気吸引弁も開くようにしたもので、通常フィルターに通る風の方向と逆に風が流れるため、よりフィルターに付着した塵埃を除去できるため、フィルターの高い清掃効果が実現でき、使い勝手のいい電気掃除機を提供できるものである。
【００１２】
第３の発明は、第１または第２の発明に加えて、吸引具から集塵室への入り口に、吸引する塵埃を検出するための塵埃検出手段を設け、前記塵埃検出手段近傍に、前記集塵室と減圧室とを連結する塵埃検出手段近傍通路を設けることを特徴としたもので、塵埃検出手段に付着した塵埃を除去でき、塵埃検出手段の性能が低下することを防止できるため、より使い勝手のよい電気掃除機を提供できるものである。
【００１３】
第４の発明は、時間測定機能と風量検知機能と前記風量検知機能からの信号により、一定時間内に一定値以上の風量低下が発生したことを判断する風量低下判断閾値を有し、前記風量検知機能の時間当たりの検知風量の低下が、前記風量低下判断閾値以下になったときに、フィルター近傍通路遮断弁を開くことを特徴とするもので、風量が短時間で急激に低下した場合は吸引具に大きな塵埃が詰まった場合がほとんどであることから、フィルター近傍通路遮断弁を開放することによって、集塵室の気圧を急激に下げることで詰まった塵埃を吸い込み、吸引具の詰まりを解消できるもので、使い勝手のいい電気掃除機を提供できるものである。
【００１４】
以下、本発明の実施の形態について、図面を参照しながら説明する。なお、この実施の形態によって、本発明が限定されるものではない。
【００１５】
（実施の形態１）
本発明の第１の実施の形態について、図１および図２を用いて説明する。
【００１６】
図１において、電気掃除機１は本体２にホース３が着脱自在に接続されている。ホース３の他端については、操作部４を形成する先端パイプ５が備えられている。先端パイプ５には延長管６と、その延長管６には吸込具７が接続され構成されており、さらに延長管６内部には風量検知機能８が内蔵されている。
【００１７】
図２において、本体２には、ホース３に連通した部分から本体２の奥に向かって底が下がる形状の集塵室１０が形成され、集塵室１０後部の下部には連結孔（フィルター近傍通路）１１を通じて集塵室１０と接続されている減圧室１２が配置され、減圧室１２壁部には減圧室１２の気圧を測定する気圧計１３が配置されている。連結孔１１中間部には集塵
室１０と連結孔１１とを遮断する開閉可能な遮断弁（フィルター近傍通路遮断弁）１４が配置されている。さらに減圧室１２には減圧室１２の空気を抜いて気圧を減圧させるポンプ１５が連結管１６を介して接続されており、連結管１６の減圧室１２側の端は減圧室１２の上部に接続されている。また、減圧室１２と連結管１６との間には塵埃のポンプへの侵入を防止する減圧室フィルター１７が配置されている。
【００１８】
また、集塵室１０後方には吸込み具７から塵埃を吸引する吸引風を発生させる電動送風機２０と集塵室１０と電動送風機２０との間には集塵室１０の塵埃が電動送風機２０に進入しないように、集塵室フィルター（フィルター）２１が配置されている。また、本体２内には制御基板２２と排気口２３、及び電源コード２４も備えられている。前記制御基板２２については、操作部４及、ポンプ１５、電動送風機２０、及び電源コード２４と電気的接続がなされており、制御基板２２内部にはマイコン２５が配置されている。
【００１９】
また、ホース３から集塵室１０への連結部には赤外線の発光部と受光部による塵埃検出手段３０が配置されており、その下部には減圧室１２に連結される塵埃検出手段近傍通路３１があり、塵埃検出手段近傍通路３１の途中には塵埃検出手段近傍通路遮断弁３２が配置されている。
【００２０】
また、電動送風機２０と集塵室フィルター２１との間には外気吸引通路４０があり、外気吸引通路４０の途中には外気吸引通路遮断弁４１がある。
【００２１】
また、マイコン２５は時間測定機能５０と前記風量検知機能９からの信号により、一定時間内に一定値以上の風量低下が発生したことを判断する風量低下判断閾値５１を有する。
【００２２】
以上のように構成された電気掃除機において、図３〜図６を用いてその動作を説明する。
【００２３】
図３において、使用者が操作部の操作部４を操作することによって電動送風機２０が動作し、床面の塵埃を吸込み具７から吸引することで部屋の掃除が可能となる。
【００２４】
このとき吸引風は集塵室１０からフィルター２１を通って電動送風機２０へと流れていくため、塵埃も同様の動きを取る。しかし集塵室１０後方には塵埃が電動送風機２０内に侵入し電動送風機２０を損傷することを防ぐためのフィルター２１が設置されているため、塵埃が電動送風機２０内に侵入することはない。
【００２５】
しかし、掃除を行うごとにフィルター２１には徐々に塵埃が付着していき、吸引風の通りが悪くなることによって掃除機の吸引力は徐々に低下していく。
【００２６】
このとき遮断弁１４は閉じており、使用者が操作部４を操作すると同時にポンプ１５が動作し、減圧室１２内の気圧は低気圧に保たれている。
【００２７】
次に図４において、使用者が操作部４の操作により掃除を終了したと同時に遮断弁１４は開き、塵埃室１０から低気圧となっている減圧室１４に向って勢いよく空気が流れ込むことになる。
【００２８】
連結孔１１はフィルター２１の近傍にあることからフィルター２１近傍には勢いよく風が流れることとなり、フィルター２１に付着した塵埃は吹き飛ばされて剥離し、フィルターの目詰まりは解消される。
【００２９】
以上の動作により本発明の電気掃除機は、フィルターの目詰まりが起きないことによって、吸引力の低下しない使い勝手のいい電気掃除機を提供できるものである。
【００３０】
また、図５に示すように、遮断弁１４の解放と同時に外気吸引通路遮断弁４１も開放することによって、フィルター２１を通る風が通所の電動送風機２０の動作時とは逆の流れとなり、よりフィルター２１の塵埃を除去する効果が高まり、より吸引力の低下しない使い勝手のいい電気掃除機を提供できる。
【００３１】
また、図６に示すように、遮断弁１４の代わりに塵埃検出手段近傍通路遮断弁３２を開放することによって、塵埃検出手段３１近傍の塵埃を吹き飛ばし、塵埃検出手段３１の汚れによる機能低下も防止することが可能となり、使い勝手の良い電気掃除機を提供することが可能となる。
【００３２】
また、間測定機能５０と前記風量検知機能９からの信号により、風量低下判断閾値５１以上の風量低下があった場合はホース３または延長管６に塵埃が詰まったと判断し、遮断弁１４を開放することによって、通常の電動送風機２０で発生させる以上の吸引力を一時的に発生させることが可能となり、詰まった塵埃を勢いよく吸引することによって、詰まりを解消させ使い勝手の良い電気掃除機を提供することが可能となる。
【産業上の利用可能性】
【００３３】
以上のように、本発明にかかる電気掃除機は、集塵室下部に減圧室を別に設けることによって、気圧差でフィルターを掃除することが可能となり、フィルター掃除の手間を省くことによって掃除機の利便性を高めるもので電気掃除機全てに特に有用である。
【符号の説明】
【００３４】
１  電気掃除機
２  本体
１０  集塵室
１１  連結孔（フィルター近傍通路）
１２  減圧室
１３  気圧計
１４  遮断弁（フィルター近傍通路遮断弁）
１５  ポンプ
２０  電動送風機
２１  集塵室フィルター（フィルター）
２２  制御基板
３０  塵埃検出手段
３１  塵埃検出手段近傍通路
３２  塵埃検出手段近傍通路遮断弁
４０  外気吸引通路
４１  外気吸引通路遮断弁
５０  時間測定機能
５１  風量低下判断閾値
【図１】
2011019602.tif 000003
【図２】
2011019602.tif 000004
【図３】
2011019602.tif 000005
【図４】
2011019602.tif 000006
【図５】
2011019602.tif 000007
【図６】
2011019602.tif 000008